(57)【要約】【課題】バネの弾撥力による金型の型締をトグル機構と併合して型締装置に採用し、これによりタイバーを省略し、シングルトグルの採用も可能となしてトグル式型締装置の小型化を図る。【解決手段】機台上に対設した固定盤及び圧受盤と、両盤間に進退自在に設けた可動盤と、その可動盤と圧受盤とにわたり設けた電動式トグル機構とからなる。可動盤を機台上に設けたガイド手段の走行台に設置した型取付盤と、型取付盤の圧受盤側の背面にボルトにより支持して可動自在に設けた型締盤とから構成する。型締盤と型取付盤との間の複数個所に、型締盤により圧縮されて型締力を発生する型締弾性体を配設する。トグル機構を型締盤の中央部に連結する。【選択図】図１
2008012813.tif 000002
【特許請求の範囲】
【請求項１】
機台上に対設した固定盤及び圧受盤と、両盤間に進退自在に設けた可動盤と、その可動盤と圧受盤とにわたり設けた電動式トグル機構とからなり、
その可動盤を、機台上に設けたガイド手段の走行台に設置した型取付盤と、その型取付盤の圧受盤側の背面に複数本のボルトにより支持して該型取付盤に対し可動自在に設けた型締盤と、その型締盤と型取付盤との間の複数個所に配設され、該型締盤により圧縮されて型締力を発生する型締弾性体とから構成し、上記トグル機構を型締盤の中央部に連結してなることを特徴とする射出成形機のトグル式型締装置。
【請求項２】
上記型締盤は、型取付盤と対面する盤面の四方に底壁にボルト孔を穿設した有底の穴部を備え、その穴部にコイルスプリングによる上記型締弾性体を収容し、上記ボルトを型締盤の背面から穴部内の型締ばねを通して型取付盤に止着し、型締盤を型取付盤に対し可動自在に設けてなることを特徴とする請求項１記載の射出成形機のトグル式型締装置。
【請求項３】
上記トグル機構は、屈曲自在に連結して圧受盤と型締盤とに連結した前後一対のリンクと、圧受盤の下部内側に回転自在に軸承したボールねじ軸と、そのボールねじ軸と螺合して上記ガイド手段の走行台に載置固定したボールナット部材とによるリンク駆動部と、リンク駆動部の固定部材上に立設したリンク軸受と圧受盤側の後リンクにわたり設けた作動リンクとによるシングルトグル機構からなることを特徴とする請求項１記載の射出成形機のトグル式型締装置。
【請求項４】
上記ガイド手段は、機台上面の両側に敷設したリニアガイドレールと、そのリニアガイドレールに摺動自在に嵌合したリニアガイド部材とからなり、そのリニアガイド部材を下面に取付けた上記走行台を備えることを特徴とする請求項１又は３記載の射出成形機のトグル式型締装置。
【発明の詳細な説明】
【技術分野】
【０００１】
この発明は、トグル機構の屈伸動作による金型の開閉と弾性体の弾撥力により型締を行う射出成形機のトグル式型締装置に関するものである。
【背景技術】
【０００２】
トグル機構を採用した周知の型締装置では、タイバーにより連結した固定盤と圧受盤との間の可動盤を、圧受盤と可動盤とにわたり設けたトグル機構の伸長作動により移動して、固定盤と可動盤とに取付けた金型を型閉するとともにタイバーを強制的に伸ばし、タイバーの伸びにより発生した弾性力を型締力としている。
【０００３】
また電動サーボモータを駆動源とする直圧式型締装置において、タイバーにより連結したフロントプラテンとリアプラテンとの間に可動プラテン部を設け、その可動プラテン部を可動プラテンと金型取付盤とから構成して、その両方にバネを横架し、可動プラテンに接続したボールねじ軸の駆動手段により可動プラテン部を移動して、フロントプラテンと金型取付部とに取付けた金型を型閉したのちバネを圧縮し、弾力で金型取付盤を弾圧して金型に型締力を付与するものもある。
【特許文献１】特開昭６４−４５６１６号公報
【発明の開示】
【発明が解決しようとする課題】
【０００４】
トグル式型締装置では、タイバーの伸びにより発生した弾性力が金型の型締力となることから、タイバーとしては型締力に適応した弾性力を発生する断面積のものが採用される。したがって、射出成形機が小型になるほど型締力も小さくなるので、それに伴いタイバーも小径のものとなる。しかしながら、タイバーが小径になると伸びやすくなって型締力に適応した弾性力を発生し難くなる傾向にある。このためトグル式型締装置における小型化には限界があるとされている。またトグル機構としては、可動盤に対する押圧力の均等化からダブルトグルが採用されており、これが小型化の課題ともなっている。
【０００５】
そこで、この発明の目的は、直圧式型締装置で試みられているバネの弾撥力による金型の型締をトグル機構と併合して型締装置に採用し、これまでトグル式型締装置には不可欠とされているタイバーを省略するとともに、バネの弾撥力を均等に付与できるように可動盤を構成してシングルトグルの採用も可能となし、これにより小型化を図ることができる新たなトグル式型締装置を提供することにある。
【課題を解決するための手段】
【０００６】
上記目的によるこの発明は、機台上に対設した固定盤及び圧受盤と、両盤間に進退自在に設けた可動盤と、その可動盤と圧受盤とにわたり設けた電動式トグル機構とからなり、その可動盤を、機台上に設けたガイド手段の走行台に設置した型取付盤と、その型取付盤の圧受盤側の背面に複数本のボルトにより支持して該型取付盤に対し可動自在に設けた型締盤と、その型締盤と型取付盤との間の複数個所に配設され、該型締盤により圧縮されて型締力を発生する型締弾性体とから構成し、上記トグル機構を型締盤の中央部に連結してなる、というものである。
【０００７】
また上記型締盤は、型取付盤と対面する盤面の四方に底壁にボルト孔を穿設した有底の穴部を備え、その穴部にコイルスプリングによる上記型締弾性体を収容し、上記ボルトを型締盤の背面から穴部内の型締弾性体を通して型取付盤に止着し、型締盤を型取付盤に対し可動自在に設けてなる、というものである。
【０００８】
また上記トグル機構は、屈曲自在に連結して圧受盤と型締盤とに連結した前後一対のリンクと、圧受盤の下部内側に回転自在に軸承したボールねじ軸と、そのボールねじ軸と螺合して上記ガイド手段の走行台に載置固定したボールナット部材とによるリンク駆動部と、リンク駆動部の固定部材上に立設したリンク軸受と圧受盤側の後リンクにわたり設けた作動リンクとによるシングルトグル機構からなる、というものである。
【０００９】
また上記ガイド手段は、機台上面の両側に敷設したリニアガイドレールと、そのリニアガイドレールに摺動自在に嵌合したリニアガイド部材とからなり、そのリニアガイド部材を下面に取付けた上記型取付盤とリンク駆動部の走行台を備える、というものである。
【発明の効果】
【００１０】
上記構成では、可動盤を機台上に設けたガイド手段の走行台に設置したことによってタイバーが不要となる。また型取付盤の背面に可動自在に支持した型締盤により型締弾性体を圧縮し、それにより発生した弾撥力が型締力となって金型に作用することから、これまで型締に不可欠とされていたタイバーが不要となる。また型締弾性体を型締盤と型取付盤との間の複数個所に配設して、型締弾性体による型締力が型取付盤に均等に付与されるようにしたので、型締盤の中央部をノズル機構の伸長により押圧するものであっても、金型に対する型締力に偏りが生じない。したがって、シングルトグルを採用して小型化を図ることができる。
【００１１】
また型締盤の型取付盤と対面する盤面の四方に底壁にボルト孔を穿設した有底の穴部を設け、その穴部にコイルスプリングによる型締弾性体を収容したので、圧縮時における型締弾性体の座屈が生じ難く、またボルトを型締盤の背面から穴部内の型締ばねを通して型取付盤に止着したので、盤間距離は型締弾性体の圧縮代となるスペースで済むので短くなり、これに型取付盤と型締盤とからなる可動盤をコンパクトに構成して、固定盤と圧受盤の距離を短縮し小型化することができる。
【発明を実施するための最良の形態】
【００１２】
図中１は固定盤、２は圧受盤、３は可動盤、４は型開閉及び型締用のトグル機構である。固定盤１と圧受盤２は両側面の上下を横材５，５により互いに連結して機台６の上に立設してある。また可動盤３は機台上面に敷設したガイド手段７の走行台８に設置して、固定盤１と圧受盤２の間の機台上に進退自在に設けてある。この可動盤３と固定盤１の対向面に金型が固定型９ａと可動型９ｂに分割して取け付けてある。
【００１３】
上記可動盤３は、走行台８に設置した型取付盤３１と、その型取付盤３１の圧受盤側の背面に複数本のボルト１０により支持して、型取付盤３１に対し可動自在に設けた型締盤３２と、その型締盤３２と型取付盤３１との間の複数個所に配設したコイルスプリングによる型締弾性体１１，１１（以下型締ばねという）とから構成されている。
【００１４】
上記型締盤３２は、型取付盤３１と対向する盤面に開口し底壁にボルト孔を穿設した有底の穴部３２ａ，３２ａを盤体内の四方に有し、圧受盤側の背面中央にシングルトグル機構４の連結片３３を一体に有する。この型締盤３２は各穴部３２ａに上記型締ばね１１を収容した状態で、背面から穴部内の型締ばね１１を通して型取付盤３１に止着した上記ボルト１０により、型取付盤３１に対し所要のスペースＳを空けて可動自在に設けてある。
【００１５】
上記シングルトグル機構４は、屈曲自在に連結して圧受盤２の内側上部に突設した連結板１２と型締盤３２の上記連結片３３とに端部を軸着した前後一対のリンク４ａ，４ｂと、圧受盤２の下部内側に回転自在に軸承したボールねじ軸１３と、そのボールねじ軸１３と螺合して上記ガイド手段７の走行台１５に載置固定したボールナット部材１４とによるリンク駆動部１６と、リンク駆動部１６の固定部材上に立設したリンク軸受１６ａと圧受盤側の後リンク４ｂにわたり設けた作動リンク４ｃとからなり、ボールねじ軸１３の圧受盤２から突出した端部にはプーリ１７が取付けてある。このプーリ１７に巻回したタイミングベルト１８により、ボールねじ軸１３は圧受盤２の側部の電動サーボモータ１９を駆動源として回転し、またボールねじ軸１３の回転制動を電動サーボモータ１９により行えるようにしてある。
【００１６】
上記ガイド手段７は、機台上面の両側に敷設したリニアガイドレール７ａと、そのリニアガイドレール７ａに摺動自在に嵌合したリニアガイド部材７ｂとからなり、そのリニアガイド部材７ｂを下面前後に取付けてリニアガイドレール上に設けた上記走行台８，１５を備える。
【００１７】
上記構成の型締装置では、電動サーボモータ１９によりボールねじ軸１３が正回転（左回転）すると、ボールナット部材１４により回転運動が直線運動に変換されて、リンク駆動部１６が走行台１５と共に可動盤方向に前進移動する。また逆回転（右回転）すると圧受盤方向に後退移動する。
【００１８】
前進移動では作動リンク４ｃによる後リンク４ｂの押上作用により、前後リンク１４ａ，１４ｂが伸長して可動盤３を固定盤方向に前進移動し、型閉となる。また後退移動では作動リンク４ｃによる後リンク４ｂの引張作用により、前後リンク１４ａ，１４ｂが屈曲して可動盤３を圧受盤方向に後退移動し、型開となる。
【００１９】
図１に示す型開状態において、リンク駆動部１６の前進移動に伴い前後リンク４ａ，４ｂが伸長するようになると、前リンク４ａが型締盤３２の中央を押圧する。これにより型締盤３２は型取付盤３１との間に介在する型締ばね１１，１１を介して型取付盤３１と一緒に前進移動するようになる。この際、可動盤重量により生ずる移動抵抗により型締ばね１１，１１が型締盤３２により圧縮されて、型取付盤３１との間に予め設定したスペースＳが狭まるが、ばねの圧縮代は確保され、そのまま型締盤３２は型取付盤３１と一緒に可動型４ｂが固定型４ａと接触する所まで前進移動する（図３）。
【００２０】
固定型４ａと可動型４ｂとが接触して型閉すると、固定盤１が可動盤３の前進抵抗となってシングルリンク機構４の伸長力による押圧力を型締ばね１１，１１を介して受け、また型取付盤３１と型締盤３２との間に圧縮代があることによって、シングルリンク機構４は前後リンク４ａ，４ｂが伸長し切るまで型締盤３２を押圧して型締ばね１１，１１を圧縮する。型閉後も型締盤３２により圧縮された型締ばね１１，１１では、圧縮により生じた弾撥力がシングルリンク機構４と型取付盤３１の両方に作用する。しかし、リンク機構側はボールねじ軸１３に負荷したトルクにより、トグル駆動部１６を前進位置に保つので、弾撥力は固定型４ａと可動型４ｂの型締力として型取付盤３１に強く作用し、金型の型締状態がそのままが維持される（図４）。
【００２１】
また図４に示す型締状態において、ボールねじ軸１３を電動サーボモータ１９により逆回転すると、リンク駆動部１６が後退移動して作動リンク４ｃが押し上げていた後リンク４ｂを引き戻す。これにより前後リンク４ａ，４ｂが屈曲するようになって、前リンク４ａによる型締盤３２の押圧力が除かれ、それに伴う型締ばね１１，１１の復元により型締盤３２の背面がボルト１０，１０のヘッドに接する元の位置まで戻される。さらに前後リンク４ａ，４ｂの屈曲により型締盤３２がボルト１０，１０を介して型取付盤３１を引っ張りながら図１に示す型開位置まで後退移動する。
【００２２】
なお、図示の実施形態では、ボルト１０と型締ばね１１を同一位置に設けているが、その両方の位置は必ずしも同一位置とするものではなく、その数も型締盤３２の盤面に対し均等に配置される限りにおいて複数であればよく、また型締弾性体としてはゴムを採用することもできる。
【図面の簡単な説明】
【００２３】
【図１】この発明に係わる射出成形機の型締装置の型開時の一部を切除した側面図である。
【図２】同上の可動盤の背面図である。
【図３】型締装置の一部を省略した型閉時の側面図である。
【図４】型締装置の圧受盤側を省略した型締時の側面図である。
【符号の説明】
【００２４】
１    固定盤
２    圧受盤
３    可動盤
４    シングルトグル機構
７    ガイド手段
７ａ  リニアガイドレール
７ｂ  リニアガイド部材
８    走行台
９ａ  固定型
９ｂ  可動型
１０    ボルト
１１    型締ばね
１３    ボールねじ軸
１４    ボールナット部材
１５    走行台
１６    トグル駆動部
３１    型取付盤
３２    型締盤
【図１】
2008012813.tif 000003
【図２】
2008012813.tif 000004
【図３】
2008012813.tif 000005
【図４】
2008012813.tif 000006